(57)【特許請求の範囲】
【請求項１】
内蓋と外蓋とを組み合わせてチャイルドプルーフ機能とタンパーエビデント機能とを実現する容器の蓋体において、前記内蓋は、下端に向けて外側に湾曲する曲面形状をなして開拡する開拡部を下端部に有する倒立の容器状に形成し、下端の最大外径を前記外蓋の下端の内径より大きくする一方、前記内蓋、外蓋の上部には、それぞれ第１、第２のガイド部材を形成し、前記第１、第２のガイド部材は、それぞれ前記内蓋、外蓋と同軸状のリング状に形成するとともに、ローレットを介して上下に嵌合させ、前記内蓋に対して前記外蓋を同軸状にガイドすることを特徴とする容器の蓋体。
【請求項２】
前記開拡部は、下面側の外周をエッジに形成することを特徴とする請求項１記載の容器の蓋体。
【請求項３】
前記内蓋は、薬液の計量用のマークを内面に形成することを特徴とする請求項１または請求項２記載の容器の蓋体。
【請求項４】
前記内蓋は、前記開拡部とほぼ同一外径のロックリングを一体成形することを特徴とする請求項１ないし請求項３のいずれか記載の容器の蓋体。
【発明の詳細な説明】
【技術分野】
【０００１】
この発明は、チャイルドプルーフ機能、タンパーエビデント機能に加えて、薬液等の計量機能を有する容器の蓋体に関する。
【背景技術】
【０００２】
薬液等（液体の薬剤、水、油などを含み、以下、単に薬液という）を収納する容器には、ねじ式のキャップが広く使用されている。
【０００３】
ねじ式のキャップは、幼児等が不用意に開栓することができないチャイルドプルーフ機能や、容器が開封されたことを外部に表示するタンパーエビデント機能を組み込むことにより、高い安全性を実現することができる（たとえば特許文献１）。すなわち、雌ねじを有する内蓋に外蓋を組み合わせ、外蓋を閉鎖方向に回転させると内蓋を容器の口部に装着できるが、外蓋を開放方向に回転させても、内蓋が回転せず、チャイルドプルーフ機能を実現することができる。容器を開栓するには、外蓋を軸方向に押し下げながら開放方向に回転操作する。なお、内蓋の下端には、最初の開栓によって内蓋から分離するタンパーエビデント機能用のロックリングが付設されている。
【先行技術文献】
【特許文献】
【０００４】
【特許文献１】特開２００１−３０１７８３号公報
【発明の概要】
【発明が解決しようとする課題】
【０００５】
かかる従来技術によるときは、外蓋、内蓋からなるキャップは、容器に収納されている薬液の計量用に不適切であり、薬液を計量カップに注いで計量したり、別の容器に注いで秤で計ったりする必要があるという問題があった。薬液をキャップの内蓋に注ぐと、薬液が内蓋から溢れて外蓋との間に入り込んだり、キャップを容器の口部に再装着すると、内蓋と外蓋との間の薬液が外部に流れ出たりするおそれがあるからである。
【０００６】
そこで、この発明の目的は、かかる従来技術の問題に鑑み、チャイルドプルーフ機能、タンパーエビデント機能を有し、併せて十分実用的な薬液の計量機能を実現することができる容器の蓋体を提供することにある。
【課題を解決するための手段】
【０００７】
かかる目的を達成するためのこの発明の構成は、内蓋と外蓋とを組み合わせてチャイルドプルーフ機能とタンパーエビデント機能とを実現する容器の蓋体において、内蓋は、下端に向けて外側に湾曲する曲面形状をなして開拡する開拡部を下端部に有する倒立の容器状に形成し、下端の最大外径を外蓋の下端の内径より大きくする一方、内蓋、外蓋の上部には、それぞれ第１、第２のガイド部材を形成し、第１、第２のガイド部材は、それぞれ内蓋、外蓋と同軸状のリング状に形成するとともに、ローレットを介して上下に嵌合させ、内蓋に対して外蓋を同軸状にガイドすることをその要旨とする。
【０００８】
なお、開拡部は、下面側の外周をエッジに形成することができ、内蓋は、薬液の計量用のマークを内面に形成することができる。
【００１０】
さらに、内蓋は、開拡部とほぼ同一外径のロックリングを一体成形してもよい。
【発明の効果】
【００１１】
かかる発明の構成によるときは、内蓋と外蓋とを組み合わせてチャイルドプルーフ機能、タンパーエビデント機能を有する蓋体の内蓋は、倒立の容器状に形成するとともに、下端部に開拡部を形成し、下端の最大外径を外蓋の下端の内径より大きくすることにより、開拡部を介して内蓋と外蓋との間の隙間を塞ぎ、薬液が隙間内に入り込むことを防止することができ、開拡部による下端の最大外径を大きくするに従い、薬液が隙間内に一層入り込み難くなる。そこで、内蓋を利用して容器からの薬液を計量することができ、薬液の計量機能を実現することができる。
【００１２】
開拡部は、下面側の外周をエッジに形成することによって、内蓋に受けた薬液を他の容器に注ぐ場合に、エッジの部分における液切れがよく、薬液が内蓋の外部に垂れることがない。
【００１３】
外蓋、内蓋の上部に設けるガイド手段は、内蓋に対して外蓋を同軸状にガイドするため、内蓋に対して外蓋が傾くことがなく、内蓋に対する外蓋の軸方向の相対移動や相対回転を円滑にして、チャイルドプルーフ機能を確実にすることができる。たとえば、外蓋を押し下げることなく開放方向に回転操作する場合において、外蓋が内蓋に対して過大に傾くと、外蓋と内蓋との間に発生する摩擦力によって内蓋が開放方向に誤って回転することがあるが、ガイド手段は、そのような誤動作を有効に防止することができる。
【００１４】
ガイド手段は、内蓋側の第１のガイド部材と、外蓋側の第２のガイド部材とを上下に嵌合させることにより、内蓋に対する外蓋の傾きを確実に防止することができる。なお、第１、第２のガイド部材は、それぞれ内蓋、外蓋と同軸状に形成し、ローレットを介して係合させることが好ましい。第１、第２のガイド部材の有害な密着を防止することができるからである。
【００１５】
内蓋に一体成形するロックリングは、タンパーエビデント機能を実現することができる。
【図面の簡単な説明】
【００１６】
【図１】全体構成説明図
【図２】容器、中栓の要部斜視図
【図３】内蓋の構成説明図
【図４】外蓋の構成説明図
【図５】要部拡大断面説明図
【図６】要部展開説明図
【図７】図１のＺ−Ｚ線矢視相当断面図
【図８】使用状態説明図
【発明を実施するための形態】
【００１７】
以下、図面を以って発明の実施の形態を説明する。
【００１８】
容器の蓋体は、容器Ｂの口部Ｂ1 に装着するねじ式の内蓋１０と、内蓋１０に組み合わせる外蓋２０とを備えてなる（図１、図２）。なお、口部Ｂ1 には、注ぎ口Ｃ1 を有する中栓Ｃが取り付けられている。
【００１９】
容器Ｂは、たとえば、滑らかに湾曲する肩部Ｂ5 の上部にリング状の首部Ｂ4 を形成し、首部Ｂ4 の上部に口部Ｂ1 を形成するプラスチックボトルである。口部Ｂ1 の外周には、雄ねじＢ2 が形成されており、雄ねじＢ2 の下方には、ラチェットＢ3 、Ｂ3 …が形成されている。
【００２０】
中栓Ｃは、先端に注ぎ口Ｃ1 を形成する中空のノズルＣ2 と、容器Ｂの口部Ｂ1 に圧入する圧入部Ｃ3 と、口部Ｂ1 の上端面に被せるようにして固定するリング状の固定部Ｃ4 とを一体成形して形成されている。ノズルＣ2 には、容器Ｂ内の薬液を注出するときのエア置換用のスリットＣ2aが形成されており、固定部Ｃ4 には、口部Ｂ1 の上端面に当接するシールリブＣ4a、口部Ｂ1 の上端部に外側から係合する外れ止め用の係合リブＣ4bが形成されている。中栓Ｃは、注ぎ口Ｃ1 を下向きにして容器Ｂを傾けることにより、容器Ｂ内の薬液を液だれすることなく注ぎ口Ｃ1 から外部に注出することができる。
【００２１】
内蓋１０は、倒立の有底容器状に形成されている（図１、図３）。内蓋１０の外周下部には、周方向の補助リブ１１が形成されており、補助リブ１１の断面形状は、円弧状の頂部の下側に細い凹溝１１ａが形成されている。内蓋１０の内面には、容器Ｂの雄ねじＢ2 に適合する雌ねじ１２が形成されている。内蓋１０の上部には、リング状の接続板１０ｂを介して短い下向きの内筒１３が同軸状に支持されており、内筒１３の外径は、下向きに先細に形成されている。なお、接続板１０ｂの下面には、シールリブ１４が形成されている。内蓋１０の下端部には、開拡部１５が形成されており、開拡部１５の下面側の外周は、エッジ１５ａに形成されている。ただし、開拡部１５は、内蓋１０の下端に向けて外側に湾曲する曲面形状をなして開拡しており、エッジ１５ａは、９０°以下の鋭角に形成することが好ましい。開拡部１５の下方には、連結部５１、５１…を介し、タンパーエビデント機能用のロックリング５０が付設されている。
【００２２】
内蓋１０の内面には、雌ねじ１２と開拡部１５との間に薬液の計量用のマーク１６が形成されている。マーク１６は、下側が上側より大径の小さな段として形成され、薬液の計量容量２５mlを示す数字「２５」が付記されている。
【００２３】
内蓋１０の上部には、接続板１０ｂを介し、内筒１３の上方に連続する円筒１７が形成されており、円筒１７の上端は、天板１７ａによって閉じられている。なお、天板１７ａの上面は、内蓋１０の上端より僅かに高くなっている。
【００２４】
円筒１７の外周には、上向きの縦ブロック状の第１の係合突部４１、４１…が天板１７ａ上に突出するようにして配列されている。また、天板１７ａ上の第１の係合突部４１、４１…の内側には、断面直角三角形の係合リブ３１、３１…が斜めに等配されて形成されている。各係合リブ３１は、内蓋１０の閉鎖方向（図３（Ａ）の矢印Ｋ2 方向）側に斜面が向けられており、内蓋１０の開放方向（図３（Ａ）の矢印Ｋ2 方向と逆方向）側に垂直面３１ａが形成されている。
【００２５】
内蓋１０の外周上部は、リング状の第１のガイド部材１８となっている。第１のガイド部材１８の上端部外周は、内向きに湾曲する曲面に形成されている。また、内蓋１０の外面には、補助リブ１１の上側にローレット１０ａ、１０ａ…が形成されており、第１のガイド部材１８の内面にも、ローレット１８ａ、１８ａ…が形成されている。なお、図３（Ａ）、（Ｂ）は、それぞれ内蓋１０の斜視図、縦断面図である。
【００２６】
外蓋２０は、内蓋１０に被せるキャップ状に形成され（図１、図４）、外蓋２０の外面には、ローレット２１、２１…が形成されている。外蓋２０の内面には、内蓋１０の補助リブ１１に対応する補助リブ２２が形成されている。また、外蓋２０の下端内面には、外向きの斜面２０ａが形成されている。外蓋２０の下端の内径は、内蓋１０の下端の最大外径、すなわち開拡部１５のエッジ１５ａにおける外径より小さくなっている。
【００２７】
外蓋２０の天面２４には、低いリング状の第２のガイド部材２３が外蓋２０と同軸状に垂設されている。第２のガイド部材２３の外径は、内蓋１０側の第１のガイド部材１８の内径より僅かに小さく設定されている。また、天面２４には、内蓋１０の第１の係合突部４１、４１…に対応して、低いブロック状の第２の係合突部４２、４２…が周方向に下向きに形成されており、第２の係合突部４２、４２…の内側には、羽根板状の付勢部３２、３２…が斜め下向きに形成されている。なお、図４（Ａ）、（Ｂ）は、それぞれ外蓋２０の一部破断斜視図、縦半断面図である。
【００２８】
内蓋１０の第１の係合突部４１、４１…は、円筒１７の周方向に８個が等間隔に配列されている（図５（Ａ））。また、外蓋２０の第２の係合突部４２、４２…は、外蓋２０を内蓋１０に組み合わせると、それぞれ内蓋１０の第１の係合突部４１、４１…の間に入り込むことができるように、８個が周方向に等間隔に配列されている。ただし、図５（Ａ）は、図１のＸ−Ｘ線矢視相当の要部拡大断面図であり、図５（Ｂ）、（Ｃ）は、それぞれ同図（Ａ）のＹ1 −Ｙ1 線、Ｙ2 −Ｙ2 線矢視相当拡大断面説明図である。
【００２９】
一方、内蓋１０の係合リブ３１、３１…は、それぞれの垂直面３１ａが内蓋１０の周方向の一方に向いており、外蓋２０の付勢部３２、３２…は、内蓋１０の閉鎖方向に向けて、それぞれの先端が各係合リブ３１の垂直面３１ａに正しく対向するように配置されている。なお、付勢部３２、３２…は、８本の係合リブ３１、３１…に対して４枚が等配されている。また、付勢部３２、３２…は、内蓋１０の天板１７ａの上面に先端が接触して弾性変形し、外蓋２０を内蓋１０から離れる方向、すなわち分離方向に付勢している（図１）。
【００３０】
外蓋２０、内蓋１０の下部では、外蓋２０の補助リブ２２、内蓋１０の補助リブ１１が上下に係合し、外蓋２０は、内蓋１０に対して抜け止めされている。なお、補助リブ１１の凹溝１１ａは、補助リブ１１、２２のかじりを防止する。外蓋２０、内蓋１０の上部では、外蓋２０側の第２のガイド部材２３が内蓋１０側の第１のガイド部材１８の内側に嵌まり込み、ローレット１８ａ、１８ａ…を介して係合することにより、内蓋１０に対して外蓋２０を同軸状にガイドするガイド手段となっている。なお、外蓋２０は、内蓋１０に対し、軸方向に押し下げるように相対移動可能であり、しかも相対回転可能である。
【００３１】
ロックリング５０は、内蓋１０の開拡部１５とほぼ同一外径の薄肉のリング材であり（図３、図６）、内蓋１０とともに一体成形されている。ロックリング５０の上端面には、開拡部１５の下面に形成する補助ラチェット１５ｂ、１５ｂに対応して補助ラチェット５３、５３が形成されており、補助ラチェット５３、５３の中間には、上向きの突部５４、５４が形成されている。
【００３２】
ロックリング５０の内面には、容器ＢのラチェットＢ3 、Ｂ3 …に係合するラチェット５２、５２…がピッチ角度θ1 ＝４５°ごとに形成されている（図７）。なお、ラチェットＢ3 、Ｂ3 …は、２個ずつの２組がピッチ角度θ2 ＝１８０°を隔てて形成されており、各組のラチェットＢ3 、Ｂ3 は、ピッチ角度θ3 ＝４５°〜９０°を隔てている。連結部５１、５１…は、それぞれ上向きの三角錐状に形成され（図３（Ｂ）、図６）、ピッチ角度９０°ごとに配置されている。各連結部５１は、開拡部１５の下面とロックリング５０の上端面とを連結している。
【００３３】
外蓋２０は、第２の係合突部４２、４２…のそれぞれを内蓋１０の第１の係合突部４１、４１…の間に位置させ（図５（Ａ）、同図（Ｂ）の実線）、付勢部３２、３２…に抗して内蓋１０に向けて軸方向に押し付けると、各第２の係合突部４２が第１の係合突部４１、４１の間に進入する（同図（Ｂ）の二点鎖線）。また、このとき、付勢部３２、３２…の先端は、内蓋１０の係合リブ３１、３１…の垂直面３１ａ、３１ａ…に対向する（同図（Ａ））。
【００３４】
一方、外蓋２０を内蓋１０に押し付けることなく、外蓋２０を内蓋１０の閉鎖方向に回転させると、各第２の係合突部４２が第１の係合突部４１に係合することがなく、各付勢部３２が直近下流側の係合リブ３１の垂直面３１ａに片側から係合する。そこで、外蓋２０をそのまま内蓋１０の閉鎖方向に回転させれば、付勢部３２、３２…、係合リブ３１、３１…を介して内蓋１０を閉鎖方向に回転操作することができる。さらに、外蓋２０を内蓋１０に押し付けながら内蓋１０の開放方向に回転させると、各第２の係合突部４２は、第１の係合突部４１に係合し、内蓋１０を開放方向に回転操作することができる。
【００３５】
内蓋１０、外蓋２０を一体に組み立て、図示しないキャッピング装置により容器Ｂの口部Ｂ1 に正しく装着すると（図１）、内蓋１０の内筒１３が中栓Ｃの圧入部Ｃ3 内に挿入されるとともにシールリブ１４が固定部Ｃ4 の上面に密着し、内蓋１０は、中栓ＣのノズルＣ2 を円筒１７に収納するようにして口部Ｂ1 を水密に閉じるとともに、ロックリング５０を口部Ｂ1 の下部の定位置にセットして容器Ｂを未開封状態に初期セットすることができる。すなわち、このときのロックリング５０は、容器Ｂの首部Ｂ4 の上方に保持され、容器Ｂが未開封であることを外部に表示する。また、この状態において外蓋２０を内蓋１０の開放方向に操作すると、各付勢部３２は、係合リブ３１を乗り越えながら内蓋１０の天板１７ａの上面を摺動し（図５（Ｃ）の実線、一点鎖線、二点鎖線）、外蓋２０は、内蓋１０を開放方向に回転駆動することがなく、容器Ｂが不用意に開封されることがない。
【００３６】
容器Ｂを開封するときは、付勢部３２、３２…に抗して外蓋２０を内蓋１０に向けて押し下げながら外蓋２０を内蓋１０の開放方向に回転させる。このとき、第２の係合突部４２、４２…は、それぞれ第１の係合突部４１、４１…の間に進入し、外蓋２０は、内蓋１０を開放方向に回転操作することができる。
【００３７】
また、このとき、ロックリング５０のラチェット５２、５２…は、容器Ｂ側のラチェットＢ3 、Ｂ3 に係合し（図７）、ロックリング５０を内蓋１０の開放方向に回り止めする。そこで、各連結部５１は、内蓋１０の開放方向の回転により破断してロックリング５０を内蓋１０から分離させ、容器Ｂの首部Ｂ4 上に落下させる（図８（Ａ））。すなわち、ロックリング５０は、内蓋１０との間に隙間ｄを形成して容器Ｂが開封されたことを外部に表示し、タンパーエビデント機能を実現する。また、ロックリング５０は、容器Ｂを開栓後、容器Ｂから取り外すことにより、容器Ｂが開封されたことを一層明確に表示することができる（同図（Ｂ））。
【００３８】
開封後の容器Ｂを開栓するときは、外蓋２０を内蓋１０に向けて押し下げながら開放方向に回転させる。このときの外蓋２０は、第１、第２の係合突部４１、４１…、４２、４２…を介して内蓋１０を開放方向に回転駆動し、口部Ｂ1 から内蓋１０を取り外す。すなわち、外蓋２０は、押し下げることなく開放方向に回転させても、内蓋１０を取り外すことができず、チャイルドプルーフ機能を実現することができる。また、開栓後の容器Ｂは、外蓋２０を介して内蓋１０を閉鎖方向に回転操作し、口部Ｂ1 を閉じることができる。このとき、外蓋２０は、付勢部３２、３２…、係合リブ３１、３１…を介して内蓋１０を回転させる。
【００３９】
容器Ｂ内の薬液を使用するときは、容器Ｂを開栓し、開拡部１５を上に向けた状態で、中栓Ｃを介して容器Ｂからの薬液を計量用のマーク１６まで内蓋１０に注ぐ。計量した薬液は、用法通りに希釈して使用する。
【００４０】
以上の説明において、内蓋１０側の第１のガイド部材１８は、外蓋２０側の第２のガイド部材２３内に嵌まり込ませてもよい。また、内蓋１０側の第１のガイド部材１８は、内蓋１０の上部に内蓋１０と同径に形成する代わりに、たとえば円筒１７の外周を利用してもよい。すなわち、第１、第２のガイド部材１８、２３は、それぞれ内蓋１０、外蓋２０と同軸状に形成するとともに、互いに上下に嵌合する雌雄の一対として形成することができる。また、ローレット１８ａ、１８ａ…は、第１、第２のガイド部材１８、２３のいずれの側に形成してもよい。
【００４１】
なお、内蓋１０による薬液の計量容量は、任意に設定することができ、計量用のマーク１６には、計量容量を示す数字を付記してもよく、しなくてもよい。
【産業上の利用可能性】
【００４２】
この発明は、液体の薬剤、水、油、調味料などを収納する容器に対し、広く好適に適用することができる。
【符号の説明】
【００４３】
Ｂ…容器
１０…内蓋
１５…開拡部
１５ａ…エッジ
１６…マーク
１８…第１のガイド部材
１８ａ…ローレット
２０…外蓋
２３…第２のガイド部材
【図１】
0005766922.tif 000002
【図２】
0005766922.tif 000003
【図３】
0005766922.tif 000004
【図４】
0005766922.tif 000005
【図５】
0005766922.tif 000006
【図６】
0005766922.tif 000007
【図７】
0005766922.tif 000008
【図８】
0005766922.tif 000009